(57)【特許請求の範囲】
【請求項１】
装置本体と、
上記装置本体に設けられ、コンテンツデータを表示する表示部と、
上記装置本体に設けられ、ＩＣカード又はＩＣカードの機能を有する携帯端末に内蔵されたメモリと上記表示部側から通信を行い、上記コンテンツデータと関連したデータの書込及び／又は読出を行うリーダ／ライタと、
ホスト機器との間で通信を行う通信部と、
上記通信部で受信したコンテンツデータを上記表示部に表示させると共に、上記リーダ／ライタで書込及び／又は読出を行うデータの送受信を上記通信部を介して上記ホスト機器又は他の機器との間で行わせる制御部とを備え、
上記装置本体には、上記表示部上の上記リーダ／ライタによる書込及び／又は読出可能な通信可能領域上に光透過性の保護板と、該通信可能領域の近傍に、該通信可能領域に上記ＩＣカード又はＩＣカードの機能を有する携帯端末が載置されたとき、該ＩＣカード又はＩＣカードの機能を有する携帯端末を支持する支持部とが設けられ、
上記表示部は、タッチパネルであり、入力操作可能な入力操作領域と表示のみを行う表示領域とを有し、
上記入力操作領域は、上記通信可能領域を除く領域に設けられており、上記表示領域は、上記表示部上の保護板の配設領域に対応して設けられ、
上記保護板上には、各コーナー部に発光部と受光部を備えるセンサを設け、該発光部から出射された光が該受光部で検出されるか否かによって上記ＩＣカード又はＩＣカードの機能を有する携帯端末が該保護板上に載置されているか否かが判別されることを特徴とする表示端末装置。
【請求項２】
上記装置本体には、上記表示部に隣接して操作部が設けられ、
上記操作部は、上記装置本体の厚さ方向に押圧可能なスイッチであることを特徴とする請求項１記載の表示端末装置。
【請求項３】
上記表示部は、液晶表示パネルであり、上記リーダ／ライタのアンテナは、この液晶表示パネルの裏面側に配設されることを特徴とする請求項１又は２記載の表示端末装置。
【発明の詳細な説明】
【技術分野】
【０００１】
本発明は、ＩＣカード等のメモリと通信を行うことができる表示端末装置に関する。
【背景技術】
【０００２】
メモリを内蔵したＩＣカードの中には、貨幣データをメモリに格納したものがある。このＩＣカードは、ユーザが店舗で商品を購入するとき、リーダ／ライタによって、購入した商品の価格分だけ貨幣データを減額すると共にメモリに購入履歴データを記録する更新処理が行われる。
【０００３】
また、人が多く集まる駅、広場、ロビー等には、宣伝広告用の表示装置が設置されることが多い。この表示装置では、広告代理店等が作成した広告データが動画又は静止画で表示される。この表示装置に表示される広告は、視聴者に対して一方的に流すものであり、仮に、視聴者が広告された一の商品の詳細を知りたいと思っても、即座に知ることはできない。
【０００４】
なお、本発明に類似する文献としては、下記特許文献１がある。
【０００５】
【特許文献１】特開２００１−１６０１０５号公報
【発明の開示】
【発明が解決しようとする課題】
【０００６】
本発明は、以上のような問題点に鑑みてなされたものであり、その目的は、表示部側からＩＣカード等のメモリと通信を行うことができるリーダ／ライタを設けることによって、表示部に表示されるコンテンツデータと関連あるデータのやり取りをメモリとの間で容易に行うことができるようにし利便性を向上させ、更に、効率よく宣伝広告等を行うことができる表示端末装置を提供することにある。
【０００７】
また、本発明の目的は、表示部近傍に操作部を設けることによって、表示部に表示されるコンテンツデータの表示操作を簡単に行うことができる表示端末装置を提供することにある。
【０００８】
更に、本発明の目的は、メモリがかざされる表示部上の領域を保護することができる表示端末装置を提供することにある。
【０００９】
更に、本発明の目的は、表示部近傍にメモリの支持部を設けて、メモリとの間でデータのやり取りを行う際の操作を簡単で正確にやり取りを行うことができるようにする表示端末装置を提供することにある。
【課題を解決するための手段】
【００１０】
本発明に係る表示端末装置は、装置本体と、上記装置本体に設けられ、コンテンツデータを表示する表示部と、ホスト機器との間で通信を行う通信部と、上記装置本体に設けられ、ＩＣカード又はＩＣカードの機能を有する携帯端末に内蔵されたメモリと上記表示部側から通信を行い、上記コンテンツデータと関連したデータの書込及び／又は読出を行うリーダ／ライタと、上記通信部で受信したコンテンツデータを上記表示部に表示させると共に、上記リーダ／ライタで書込及び／又は読出を行うデータの送受信を上記通信部を介して上記ホスト機器又は他の機器との間で行わせる制御部とを備える。上記装置本体には、上記表示部上の上記リーダ／ライタによる書込及び／又は読出可能な通信可能領域上に光透過性の保護板と、該通信可能領域の近傍に、該通信可能領域に上記ＩＣカード又はＩＣカードの機能を有する携帯端末が載置されたとき、該ＩＣカード又はＩＣカードの機能を有する携帯端末を支持する支持部とが設けられる。上記表示部は、タッチパネルであり、入力操作可能な入力操作領域と表示のみを行う表示領域とを有する。上記入力操作領域は、上記通信可能領域を除く領域に設けられており、上記表示領域は、上記表示部上の保護板の配設領域に対応して設けられ、上記保護板上には、各コーナー部に発光部と受光部を備えるセンサを設け、該発光部から出射された光が該受光部で検出されるか否かによって上記ＩＣカード又はＩＣカードの機能を有する携帯端末が該保護板上に載置されているか否かが判別される。
【発明の効果】
【００１１】
本発明によれば、コンテンツデータが表示される表示部側から通信可能なリーダ／ライタを設けることによって、表示部に表示されるコンテンツデータと関連したデータのやり取りをメモリを用いて行うことができ、利便性の向上を図ることができる。例えば、コンテンツデータが広告データであるとき、広告主は、メモリにクーポンデータ等の特典データをダウンロードできるようにすることで、宣伝広告力を高めることができ、また、メモリの所有者は、容易に、興味のある広告データに関連する特典データ等をメモリにダウンロードして取得することができる。
【発明を実施するための最良の形態】
【００１２】
以下、本発明を適用した表示端末装置について図面を参照して説明する。
【００１３】
図１に示すように、本発明は、手に持つことができる程度の携帯型の表示端末装置１ａと、設置型の表示端末装置１ｂに適用され、共にこれらの表示端末装置１ａ，１ｂは、動画又は静止画データ、音声データ、文字データ等で構成された広告データが表示される。携帯型の表示端末装置１ａは、例えば、ホテル等の客室に設置され、宿泊客が自由に手に持って広告データを見ることができるようになっている。また、設置型の表示端末装置１ｂは、ホテルのロビー、駅等の公共スペースに設置されるものである。なお、表示端末装置１ａ，１ｂには、図１に示すように、大画面の据え置き型の表示装置２に表示される広告データと同じ又は関連する広告データを表示するようにしても良い。また、携帯型の表示端末装置１ａも、公共スペースで使用しても良い。
【００１４】
図２に示すように、携帯型の表示端末装置１ａは、略矩形で板状の外筐を構成する装置本体１１と、この装置本体１１の一方の主面１１ａに設けられ広告データを表示すると共に表示された操作ボタンの押圧操作を感知する表示操作部１２とを有する。この表示操作部１２は、液晶表示パネル上にセンサを設け、圧力や静電気による電気信号を感知するタッチパネルであり、更に、表示画面上の一部を、ＩＣカード３との間でデータのやり取りを行う通信可能領域１２ａとし、通信可能領域１２ａ以外を、入力操作領域１２ｂとしている。
【００１５】
この通信可能領域１２ａは、例えば表示操作部１２の長さ方向一方の側であって幅方向の略中央に位置するように形成される。通信可能領域１２ａ上には、装置本体１１に取り付けられてなる保護板１３が配設されている。この保護板１３は、光透過性を有する例えば透明なアクリル等の板材であり、表示のみを行う通信可能領域１２ａに表示された画像を上から透視できるようになっている。この保護板１３は、ユーザから見てＩＣカード３をかざす位置を指示する標識としても機能する。なお、本発明において、この保護板１３は、必ずしも必要となるものではない。
【００１６】
また、保護板１３を設ける場合にあっては、保護板１３の下側の表示操作部１２の領域は、保護板１３が妨げとなり、タッチパネルでの操作が不能となる。そこで、保護板１３上には、例えば各コーナー部に発光部と受光部を備えるセンサを設け、発光部から出射された光が受光部で検出されるか否かによってオンオフを判別することができるようにしても良い。これは、例えば、発光部と受光部を保護板１３の表面の対角線上に設けることによって実現することができる。このセンサによって、ＩＣカード３が保護板１３上におかれているか否かを検出することができる他、指等がかざされたかどうかによって、所定の操作信号を発生させることができる。
【００１７】
ここで、この表示端末装置１２ａの断面構造について図４を参照して説明する。図４は、通信可能領域１２ａ部分の断面図である。図４に示すように、表示端末装置１ａは、表示操作部１２を構成するタッチパネルの裏側に、ＩＣカード３のリーダ／ライタの一部を構成するタッチパネル側を通信側としたループアンテナ１４が設けられている。このループアンテナ１４は、例えばＲＦＩＤ（Radio Frequency Identification System）でＩＣカード３と通信を行うものであり、後述するリーダ／ライタ回路と電気的に接続されている。ループアンテナ１４は、ＩＣカード３側のアンテナコイルとが誘導結合によって磁気的に結合し、ＩＣカード３のアンテナコイルとリーダ／ライタ側のアンテナコイル１４との間で非接触でデータ通信を行う。この通信システムでは、ＩＣカード３のアンテナコイルとリーダ／ライタのアンテナコイル１４との間隔は、近距離の非接触データ通信が行うことができる程度とされる。
【００１８】
また、図２に示すように、装置本体１１には、一方の長辺の中程に操作部１５が設けられている。この操作部１５は、装置本体１１の厚さ方向に回動可能な回転型スイッチ素子でなり、例えば表示操作部１２に表示された画像をスクロールすることができる。なお、この操作部１５は、更に回転押圧型のスイッチを用いて、スクロールの他に、例えば選択操作を行うことができるようにしても良い。
【００１９】
なお、本発明では、外筐となる装置本体１１に対して表示操作部１２をねじ等で取り付けるようにして、例えば色違いや形状値が賄の装置本体１１を交換することができるようにしても良い。
【００２０】
次に、図３に示した設置型の表示端末装置１ｂについて図３を参照して説明する。この表示端末装置１ｂは、基本的に、上述した携帯型の表示端末装置１ａで構成された表示体１６をスタンド装置１７に設置してなるものであり、表示体１６の部分は携帯型の表示端末装置１ａと同じ構成であるので詳細は省略する。
【００２１】
設置型の表示端末装置１ｂのスタンド装置１７は、スタンド部１８の上側に、表示体１６を取り付けるための取付部１９が設けられている。取付部１９は、立った状態のユーザが操作しやすいように、表示体１６の表示面が斜め上方を向くように形成されており、表示体１６がねじ等で固定される。この取付部１６には、更に、表示体１６の下側に、具体的に、通信可能領域１２ａの下側に、ＩＣカード３の支持部２１が設けられている。この支持部２１は、ユーザがＩＣカード３を保護板１３上に載置した際に、ＩＣカード３を下側から支持する。すなわち、ＩＣカード３は、この支持部２１に常に支持されることになり、ユーザは、広告データを集中して見ることができ、また、操作部１５の操作に集中することができるようになる。
【００２２】
以上のように構成される携帯型及び設置型の表示端末装置１ａ，１ｂは、図５に示すような配信システムで用いることができる。この配信システム１では、広告データを配信する配信サーバ４から本発明を適用した携帯型及び設置型の表示端末装置１ａ，１ｂや図１に示した大画面の表示装置２に有線又は無線で広告データを配信するようになっている。なお、通信規格としては、ＵＳＢ（Universal Serial Bus）、ブルートゥース、ＩＥＥＥ（the Institute of Electrical and Electronics Engineers）１３９４、ＩＥＥＥ８０２等を使用することができる。
【００２３】
配信サーバ４は、例えば通常のコンピュータと同様な構成を有しており、ハードディスク、ＲＯＭ（Read Only Memory）、ＲＡＭ（Random Access Memory）、ＣＰＵ（Central Processing Unit）、ネットワークを介して通信するための通信Ｉ／Ｆ等を備えている。配信サーバ４が配信する広告データは、階層構造を有しており、一の広告データが選択されると、更に詳細な下層の広告データが表示されるようになっている。配信サーバ４は、例えば所定時刻になる毎に、表示端末装置１ａ，１ｂで再生される広告データの内容が変わるように、所定時刻になったとき、新たな広告データを表示端末装置１ａ，１ｂに配信する。なお、広告データについては、表示端末装置１ａ，１ｂでの表示態様と併せて後述する。
【００２４】
また、図５に示す配信システムでは、表示端末装置１ａ，１ｂに、ＩＣカード３のリーダ／ライタが設けられ、例えば広告データで広告されている商品が購入されＩＣカード３での決済が行われることもあることから、ＩＣカード３を管理するＩＣカード管理装置５が設けられている。このＩＣカード管理装置５も例えば通常のコンピュータと同様な構成を有しており、ハードディスク、ＲＯＭ、ＲＡＭ、ＣＰＵ、ネットワークを介して通信するための通信Ｉ／Ｆ等を備えている。このＩＣカード管理装置５は、表示端末装置１ａ，１ｂから送信された商品ＩＤ、購入金額データ、商品を購入した店の店ＩＤ等をの履歴データをハードディスク等に構築されているデータベースで管理する。なお、このＩＣカード管理装置５への履歴データの送信は、表示端末装置１ａ，１ｂから専用線で直接行っても、また、配信サーバ４を介して間接的に行うようにしてもよい。
【００２５】
なお、以下、単に、携帯型の表示端末装置１ａと設置型の表示端末装置１ｂとをまとめて表示端末装置１ともいう。
【００２６】
次に、表示端末装置１の回路構成について、図６を参照して説明する。表示端末装置１は、上述した表示操作部１２、操作部１５に加え、配信サーバ４とネットワークを介して通信を行う第１の通信部２２と、表示操作部１２で表示される広告データに関連する関連データ等を格納するメモリ２３と、ＩＣカード３と通信を行うリーダ／ライタ回路２４と、ＩＣカード管理装置５と通信を行うための第２の通信部２５と、全体の動作を制御する制御部２６とを備えている。
【００２７】
第１の通信部２２は、配信サーバ４から送信された広告データを受信し、順次、表示操作部１２に出力し表示操作部１２でストリーミング再生することができるようにする。ここで、第１の通信部２２は、例えば、表示される画像の中でフレーム等の変化の無い又は変化が一定な静止画又は動画データについては、メモリ２３に格納するようにして、随時受信する広告データのデータ量を少なくするようにしている。
【００２８】
なお、広告データのダウンロード再生を行うときには、メモリ２３に全ての広告データを格納する。
【００２９】
メモリ２３は、ハードディスク、不揮発性メモリ等であり、広告データのストリーミング再生を行うときには表示される画像の中でフレーム等の変化の無い又は変化が一定な静止画又は動画データを格納し、ダウンロード再生するときには全ての広告データを格納する。
【００３０】
更に、メモリ２３は、ＩＣカード３がリーダ／ライタ回路２４と通信可能な状態でユーザにより操作されたとき、ＩＣカード３の識別データに関連づけて表示操作部１２で見たページの履歴、商品ＩＤ、購入金額データ、商品を購入した店の店ＩＤ等の履歴データを保存する。なお、この履歴データは、上述したメモリ２３と別素子のメモリに保存するようにしても良い。
【００３１】
リーダ／ライタ回路２４は、ＩＣカード３と広告データと関連する関連データに関する通信をＩＣカード３との間で行う。具体的に、リーダ／ライタ回路２４は、上述したループアンテナ１４が接続された通信回路を有する。リーダ／ライタ回路２４は、ＩＣカード３のループアンテナと誘導結合によって磁気的に結合すると、ＩＣカード３との間でデータ通信を行う。すなわち、リーダ／ライタ回路２４は、通信回路でＩＣカード３に記録するために送信するデータを変調して、ＩＣカード３に変調データを送信すると共に、ＩＣカード３から読み出すデータを復調して制御部２６等に出力する。
【００３２】
ここで、リーダ／ライタ回路２４と通信を行うＩＣカード３について説明すると、このＩＣカード３は、ループアンテナ３ａと、ループアンテナ１４に接続される通信回路３ｂと、データが格納されるメモリ３ｃとを有している。通信回路３ｂは、リーダ／ライタ回路２４にメモリ３ｃに格納されたデータを送信するとき、送信データを変調しループアンテナ３ａに出力すると共に、リーダ／ライタ回路２４から受信した受信データを復調してメモリ３ｃに格納する。
【００３３】
メモリは３ｃは、不揮発性メモリ等の半導体メモリであり、ＩＣカード３を識別するための固有の識別データが格納されている。また、メモリ３ｃには、貨幣データが格納されると共に、ＩＣカード３の使用履歴データが格納される。更に、ＩＣカード３がホテルの会員カードとしての機能を有するときには、所有者の氏名、住所、電話番号等の個人データが格納される。更に、ユーザが広告データが再生されている表示端末装置１より広告データを構成する割引等のクーポンデータやイベント等の参加書データ等の広告データに関連するデータをダウンロードしたときには、これらの関連データを格納する。
【００３４】
表示端末装置１側のリーダ／ライタ回路２４は、例えばＩＣカード３によって商品購入時の決済処理が行われるとき、ＩＣカード３のメモリ３ｃより貨幣データを読み出し、購入代金分の減額処理を行って、減額処理された貨幣データをＩＣカード３に送信すると共に、履歴データとなる購入された商品のＩＤや店舗のＩＤ、更には購入日時等のデータをＩＣカード３に送信する。そして、送信データを受信したＩＣカード３は、メモリ３ｃに格納されている貨幣データや履歴データの更新を行う。また、リーダ／ライタ回路２４は、これらのデータを、ＩＣカード３の識別データに関連づけて第２の通信部２５を介してＩＣカード管理装置５に送信する。更に、リーダ／ライタ回路２４は、ユーザが表示操作部１２で再生されている広告データの一部を構成するクーポンデータや参加書データ等の広告データに関連する関連データをダウンロードするときには、関連データをＩＣカード３に送信し、ＩＣカード３のメモリ３ｃに格納されるようにする。
【００３５】
制御部２６は、各回路の制御を行う。例えば、制御部２６は、表示操作部１２で広告データのストリーミング再生を行うとき、メモリ２３より読み出したフレーム等の変化の無い又は変化が一定な静止画又は動画データと第１の通信部２２で受信した広告データを合成して表示操作部１２に表示する。また、制御部２６は、表示操作部１２又は操作部１５より操作信号が入力されたとき、その操作信号に従って、表示操作部１２に表示している広告データのページ捲りやスクロールを行い表示を切り換える。このとき、制御部２６は、操作部１５が回動操作されると、例えば回動操作量に応じてページ捲り速度やスクロール速度を決定し、ページ捲りやスクロールを行う。例えば、制御部２６は、操作部１５の回動操作量が多いほど速度を速くする。また、制御部２６は、操作部１２より広告データに含まれるクーポンデータや参加書データ等の広告データに関連する関連データをＩＣカード３にダウンロードする操作信号が表示操作部１２又は操作部１５より操作信号が入力されたとき、広告データの関連データを、リーダ／ライタ回路２４よりＩＣカード３に送信すると共に、例えばＩＣカード管理装置５にも送信する。また、制御部２６は、メモリ２３に格納されているＩＣカード３の識別データに関連づけられている表示操作部１２で見たページの履歴、商品ＩＤ、購入金額データ、商品を購入した店の店ＩＤ等の履歴データ等の履歴データを定期的又は随時、第２の通信部２５を介してＩＣカード管理装置５に送信する。これにより、ＩＣカード管理装置５では、この履歴データによって、ＩＣカード３の識別データに関連づけて履歴を管理することができ、ＩＣカード３の所有者の嗜好等様々なことを分析することができるようになる。
【００３６】
次に、表示端末装置１の操作手順について、図７を参照して説明する。例えば、表示端末装置１の制御部２６は、ホテルの客室やロビーに設置されているとき、配信サーバ４から送信された広告データを表示操作部１２に表示している。この広告データは、上述の通り階層構造を有しており、初期画面では、トップページ３０を表示している。具体的に、トップページ３０は、一側縁部に、各ページを捲るための第１乃至第６のタブ３１〜３６が設けられている。図７（Ａ）及び図８に示すように、第１のタブ３１は、トップページ３０であるフロアガイドのためのものであり、第２のタブ３２は、レストランの紹介のためのものであり、第３のタブ３３は、ショッピングのためのものであり、第４のタブ３４は、ホテル等で開催されるエンタテイメントのためのものであり、第５のタブ３５は、スパ及びアメニティーのためのものであり、第６のタブ３６は、言語等のセッティングのためのものである。また、トップページ３０は、ホテルのイメージ画像３０ａ等が表示され、表示操作部１２の通信可能領域１２ａ上には、例えば「ＩＣカードをかざして下さい。」といったＩＣカード３の使用位置を知らせるための案内画像３０ｂが表示される。そして、表示操作部１２では、案内画像３０ｂ以外の領域が操作可能な入力可能領域１２ｂとなっている。このトップページ３０では、第１乃至第６のタブ３１〜３６の何れかを押圧操作することによって、第１乃至第６のタブ３１〜３６に関連づけられたページを表示することができるようになっている。
【００３７】
なお、第１乃至第６のタブ３１〜３６の部分は、全ページに表示される部分であるため、例えばメモリ２３に格納しておくことで、ストリーミング再生する際のデータ受信量を減らすことができる。
【００３８】
次いで、例えば、トップページ３０における第２のタブ３２を表示操作部１２上で押圧操作すると、制御部２６は、図７（Ｂ）及び図９に示すように、表示操作部１２にレストランを紹介するレストラントップページ４０を表示する。このレストラントップページ４０においても、第１乃至第６のタブ３１〜３６が表示される。また、レストラントップページ４０では、このページのイメージ画像４０ａ等が表示され、表示操作部１２の通信可能領域１２ａ上に、例えば「ＩＣカードをかざして下さい。」といったＩＣカード３の使用位置を知らせるための案内画像４０ｂが表示される。
【００３９】
また、レストラントップページ４０では、入力操作領域１２ｂに、選択操作可能な選択部分として、第１乃至第８の選択部４１〜４８が表示される。図９の例では、第１の選択部４１で、レストランランキングのページを開くことができ、第２の選択部４２で、ハワイアンレストランの詳細ページを開くことができ、第３の選択部４３で、ディナークルーズの詳細ページを開くことができ、第４の選択部４４で喫茶店等の詳細ページを開くことができ、第５の選択部４５で、イタリア料理の詳細ページを開くことができ、第６の選択部４６で、日本料理の詳細ページを開くことができ、第７の選択部４７で、フランス料理の詳細ページを開くことができ、第８の選択部４８で、中国料理の詳細ページを開くことができるようになっている。
【００４０】
第１乃至第８の選択部４１〜４８は、表示操作部１２の第１乃至第８の選択部４１〜４８が表示された部分を直接押圧して選択することができる他、操作部１５を回動することによって、制御部２６は、選択された選択部４１〜４８を選択し、選択された選択部を押圧し又は操作部１５を押圧操作することによって、選択した選択部に関連づけられているページを開くことができる。
【００４１】
次いで、例えば、レストラントップページ４０におけるハワイアンレストランの詳細ページを開くための第２の選択部４２を表示操作部１２又は操作部１５を用いて選択すると、図７（Ｃ）及び図１０に示すように、制御部２６は、表示操作部１２に、ハワイアンレストランページ５０を表示する。このハワイアンレストランページ５０においても、第１乃至第６のタブ３１〜３６が表示される。ハワイアンレストランページ５０では、人気順等所定の順序で、所定数ずつハワイアンレストランを表示する。図１０の例では、レストラン１〜レストラン５までを入力操作領域１２ｂ上に一度に表示し、各部分が、第１乃至第５の選択部５１〜５５となっている。また、ハワイアンレストランページ５０では、表示操作部１２の通信可能領域１２ａ上に、例えば「ＩＣカードをかざして下さい。」といったＩＣカード３の使用位置を知らせるための案内画像５０ｂが表示される。また、各選択部５１〜５５には、各レストランのイメージ画像５０ａが表示される。また、ハワイアンレストランページ５０には、前ページボタン５６と次ページボタン５７が設けられており、制御部２６は、表示操作部１２上の各ボタン５６，５７の位置が押されると、ページを捲り、前又は後のページの５つのレストランを表示する。また、図９に示すレストラントップページ４０に戻るためのボタン５８が設けられている。
【００４２】
図１０の例では、第１の選択部５１で、レストラン１の詳細ページを開くことができ、第２の選択部５２で、レストラン２の詳細ページを開くことができ、第３の選択部５３で、レストラン３の詳細ページを開くことができ、第４の選択部５４でレストラン４の詳細ページを開くことができ、第５の選択部５５で、レストラン５の詳細ページを開くことができようになっている。第１乃至第５の選択部５１〜５５は、表示操作部１２の第１乃至第５の選択部５１〜５５が表示された部分を直接押圧して選択することができる他、操作部１５を回動することによって、制御部２６は、選択された選択部５１〜５５を選択し、選択された選択部を押圧し又は操作部１５を押圧操作することによって、選択した選択部に関連づけられているページを開くことができる。
【００４３】
次いで、例えば、ハワイアンレストランページ５０におけるレストラン１の詳細ページを開くための第１の選択部５１を表示操作部１２又は操作部１５を用いて選択すると、図７（Ｄ）及び図１１に示すように、制御部２６は、表示操作部１２に、レストラン１の詳細ページ６０を表示する。このレストラン１の詳細ページ６０においても、第１乃至第６のタブ３１〜３６が表示される。また、レストラン１の詳細ページ６０では、このページのイメージ画像６０ａ等が表示され、表示操作部１２の通信可能領域１２ａ上に、例えば「ＩＣカードをかざして下さい。」といったＩＣカード３の使用位置を知らせるための案内画像６０ｂが表示される。更に、レストラン１の詳細ページ６０には、レストラン１の説明が表示される。
【００４４】
このレストラン１の詳細ページ６０には、第１乃至第４の選択部６１〜６４が設けられている。図１１の例では、第１の選択部６１で、レストラン１の料理メニューのページを開くことができ、第２の選択部６２で、レストラン１の空席や店内案内のページを開くことができ、第３の選択部６３で、レストラン１のクーポンデータをダウンロードすることができ、第４の選択部６４でレストラン１の地図のページを開くことができる。
【００４５】
第１乃至第４の選択部６１〜６４は、表示操作部１２の第１乃至第４の選択部６１〜６４が表示された部分を直接押圧して選択することができる他、操作部１５を回動することによって、制御部２６は、選択された選択部６１〜６４を選択し、選択された選択部を押圧し又は操作部１５を押圧操作することによって、選択した選択部に関連づけられているページを開くことができる。なお、クーポンデータをダウンロードを行う第３の選択部６３が選択されたときには、ＩＣカード３にクーポンデータがダウンロードされることになる。なお、更に、クーポンデータは、印刷ボタンをポップアップ表示して図示しないプリンタによって印刷されるようにしても良い。
【００４６】
図８乃至図１１に示す画面が表示操作部１２に表示される間、表示操作部１２の通信可能領域１２ａには、「ＩＣカードをかざして下さい。」との案内画像３０ｂ，４０ｂ，５０ｂ，６０ｂが表示されることになる。この間、案内画像３０ｂ，４０ｂ，５０ｂ，６０ｂに従ってＩＣカード３０が常に通信可能領域１２ａにかざされているときには、リーダ／ライタ回路２４は、常に、ＩＣカード３と通信を行い、例えば、ＩＣカード３の識別データを読み出し、制御部２６は、ユーザがアクセスした広告データのページアドレスをリーダ／ライタ回路２４で読み出したＩＣカード３の識別データに関連づけて履歴データとしてメモリ２３に格納し、更に、ＩＣカード管理装置５に送信することができる。これにより、この履歴データによりＩＣカード３の所有者の嗜好等様々なことを分析することができるようになる。また、図８乃至図１１に示す画面の何れか又は複数には、ホテルやレストランが開催するイベントの参加書データをＩＣカード３にダウンロードするための選択部を設けるようにしても良い。
【００４７】
なお、以上の例では、図８乃至図１１に示す画面の全てで案内画像３０ｂ，４０ｂ，５０ｂ，６０ｂを表示して通信可能領域１２ａにかざされているＩＣカード３と通信を行う場合を説明したが、この他に、表示された履歴データは取得することができないが、クーポンデータをダウンロードする図１１の画面のみで案内画像６０ｂを表示するようにしても良い。
【００４８】
なお、以上の例では、表示操作部１２の通信可能領域１２ａには、ＩＣカード３を億例を説明したが、本発明では、利用者が携帯する携帯機器であれば、ＩＣカード３に代わって、ＩＣカード３の機能を実現する各種部品が内蔵された携帯型電話、電子手帳等の携帯型情報処理端末装置であっても良い。
【図面の簡単な説明】
【００４９】
【図１】本発明を適用した表示端末装置の使用状態を示す斜視図である。
【図２】本発明を適用した携帯型の表示端末装置の斜視図である。
【図３】本発明を適用した設置型の表示端末装置の斜視図である。
【図４】携帯型及び設置型の表示端末装置の断面図である。
【図５】本発明が適用された表示端末装置が用いられる配信システムを示す図である。
【図６】本発明が適用された表示端末装置のブロック図である。
【図７】本発明が適用された表示端末装置の操作手順を示す図である。
【図８】表示操作部に表示されたトップページを示す図である。
【図９】表示操作部に表示されたレストラントップページを示す図である。
【図１０】表示操作部に表示されたハワイアンレストランページを示す図である。
【図１１】表示操作部に表示されたレストラン１の詳細ページを示す図である。
【符号の説明】
【００５０】
１ａ，１ｂ  表示端末装置、３  ＩＣカード、４  配信サーバ、５  ＩＣカード管理装置、１１  装置本体、１２  表示操作部、１３  保護板、１４  ループアンテナ、１５  操作部、１６  表示体、１７  スタンド装置、１８  スタンド部、１９  取付部、２１  支持部、３０  トップページ、４０  レストラントップページ、５０  ハワイアンレストラントページ、６０  レストランの詳細ページ
【図１】
0005358865.tif 000002
【図２】
0005358865.tif 000003
【図３】
0005358865.tif 000004
【図４】
0005358865.tif 000005
【図５】
0005358865.tif 000006
【図６】
0005358865.tif 000007
【図７】
0005358865.tif 000008
【図８】
0005358865.tif 000009
【図９】
0005358865.tif 000010
【図１０】
0005358865.tif 000011
【図１１】
0005358865.tif 000012